(57)【要約】      （修正有）【課題】身体の脊髄背面部において、２２０Ｖ用・１００Ｖ用・７．２Ｖ〜２４Ｖ用の発熱マットを背中・腰に密着させ温熱治療する装置、及び、腹筋調節具又は背筋矯正具に薬草サックを内設し発熱マットを兼用使用する装置を提供する。【解決手段】本装置は７．２Ｖ〜２２０Ｖの電圧でのカーボン抵抗体を発熱マットに内設し、更に薬草サックも内設した構成で、しかも発熱マットと腹筋調節具又は背筋矯正具に袋又は面ファスナーを具備させ簡単に取り付け、取り外し可能にし、身体の脊髄背面部の腰、背中に一組の発熱マットで身体に密着させ交互に使用させて、薬草、電位、温熱治療を可能とする。【選択図】図４
0003123032.tif 000002
【実用新案登録請求の範囲】
【請求項１】
本装置は、身体背面又は腰部周辺に位置する保温装置の発熱マット又はマイナス電位マットの構成として、断熱材とニクロム線・線面発熱体・カーボン面発熱体等をそれぞれ一体にして熱源とし、発熱表面温度をこもり熱も含め３０℃〜６０℃で制御するよう６０℃〜６５℃で作動するサーモスタットと８０℃で電源遮断する温度ヒューズを内装し、発熱体周囲全面を樹脂で絶縁、防水加工した発熱マット又は電位マットとした後、更にマットカバーに薬草サックが内設できる構成で柔軟布の片面を網目構成にし、反面は中間に連結マジックテープを具備したカバーでマットを覆い、更なる安全装置として電源コードの中間に（−）電位と（±）電流の切り替え装置のコントローラーに２０分・４０分６０分で一端電源を遮断するタイマーを装備した構成にしてなる薬草治療と電位治療も可能な可撓性温熱治療装置。
【請求項２】
前記請求項１の電源電圧を７．５Ｖ・１５Ｖ・２４Ｖ・１００Ｖ・２２０Ｖ用にした抵抗体で装備した発熱マットとし、電圧変換装置で調節してなる可撓性温熱治療装置。
【請求項３】
前記請求項１又は請求項２に記載の温熱治療装置の発熱マットカバーの片面網目側に薬草サックを挿入し治療してなる可撓性薬草治療装置。
【請求項４】
身体の胴体に腹部状で巻く形のベルトにおいて、身体に接触する腰部には発熱マットを連結可能にした連結マジックテープが具備され、伸縮性のある構成で身体の腹筋を調節する装置として、帯状ベルトの両先端をそれぞれマジックテープで固定する構成の可撓性腹筋調節具。
【請求項５】
前記請求項４の腰部中心部の連結マジックテープに前記請求項１、請求項２、請求項３の連結マジックテープ部を接着固定することで腰部周辺の温熱治療、電位治療又は薬草治療をそれぞれ可能にし、更に腹筋調節も可能にした可撓性腰部温熱治療装置。
【請求項６】
身体の背面に接触する背当て板状部材の肩部に、伸縮性を有する左右一体の肩掛けベルトが具備され、その両先端は伸縮性を有する胴部背当て板状部材に連結され、該胴部背当て板状部材の身体接触面には、連結マジックテープが具備されると共に、上下方向における高さ位置を調整可能な構成として背面部材が具備され、更に前記背当て板状部材の腹部には装着者の胴部にまわし装着可能な胴部ベルトが具備されてなる可撓性背筋矯正具。
【請求項７】
前記請求項６の背筋矯正具の連結マジックテープ部に、前記請求項１、請求項２、請求項３の発熱マットの連結マジックテープ部を接続してなる電位効果と薬草効果のある可撓性背部温熱治療装置。
【請求項８】
本発熱装置に挿入する薬草サックには、もぐさ、乾燥ビワの葉、等漢方薬草を乾燥させた薬草とし、前記請求項１、請求項２、請求項３に記載の発熱マットで薬草サックに放射し、薬草効果をもたらすことを特徴とする可撓性薬草治療装置。
【考案の詳細な説明】
【技術分野】
【０００１】    本考案は、遠赤外線放射体又はカーボン発熱体から、身体に放射する浸透性の高い８μ〜１５μの波長を有する遠赤外線電磁波熱を、直接放射する電位・温熱治療マット又は薬草サックを透し放射してなる薬草治療マットを、特殊背筋矯正具又は特殊腹筋調節具に簡単に取り付け、取り外し可能な構成にしてなる治療装置に関する。
【背景技術】
【０００２】    従来から身体の壷にモグサに火をつけて治療する温熱方法、温泉による温熱方法、又は日光浴による温熱方法はある。又カーボン系の遠赤外線放射装置として床暖房、温熱フトン等による温熱療法も見ることが出来る。
【考案の開示】
【考案が解決しょうとする課題】
【０００３】    従来から農作業による肩、腰の疲労、又はスポーツによる肩、腰の疲労においては人的マッサージ、機械的マッサージによる方法が多い。昔から神経による痛みは熱による治療効果が最も有効である。特に８μ〜１５μの遠赤外線電磁波熱は身体の深部に浸透させる効果を持つため治療装置としては最も有効な治療方法である。
更に背骨、背筋を矯正する装置又は腹筋を調節する装置に取り付け、取り外し可能な温熱マットを、一組の温熱マットを密着させ取り付け使用する装置は従来見ることはない。
【課題を解決するための手段】
【０００４】    農業を主とする職業、又はスポーツ選手、には骨粗鬆症、ぎっくり腰、椎間板ヘルニア等脊髄又は腰痛は多くいます。これらの病気には温熱治療を主に薬草エキスを浸透させる治療が最も有効です。治療効果は治療装置が身体に密着して照射させる構成が重要である。しかも、電位治療も可能な遠赤外線放射マットを腰ベルトにも背中ベルトにも取り付け可能にする構造が有効である。具体的には次のとおりである。
【０００５】    請求項１の装置は、身体の背面又は腰部周辺に位置する保温装置の発熱マット又はマイナス電位マットの構成として、断熱材とニクロム線・線面発熱体・カーボン面発熱体等をそれぞれ一体として熱源とし、発熱表面温度をこもり熱も含め３０℃〜Ａ６０℃で制御するよう６０℃〜６５℃で作動するサーモスタットと８０℃で電源遮断する温度ヒューズを内装し、発熱体周囲全面を柔軟性樹脂で絶縁、防水加工した発熱マット又は電位マットとした後、更にマットカバーに薬草サックが内設できる構成で柔軟布の片面を網目構成にし、反面は中間に連結マジックテープを具備したカバーでマットを覆い、更なる安全装置として電源コードの中間に（−）電位と（±）電流の切り替え装置のコントローラーに２０分・４０分・６０分で一端電源を遮断するタイマーを装備した構成にしてなる薬草治療と電位治療も可能な可撓性温熱治療装置。
【０００６】    前記請求項１の電源電圧を７．５Ｖ・１５Ｖ・２４Ｖ・１００Ｖ・２２０Ｖ用にした抵抗体で装備した発熱マットとし、電圧変換装置で調節してなる可撓性温熱治療装置。
【０００７】    前記請求項１又は請求項２に記載の可撓性温熱治療装置の発熱マットカバーの片面網目側に薬草サックを挿入してなる可撓性薬草治療装置。
【０００８】    身体の胴体に腹部状で巻く形のベルトにおいて、身体に接触する腰部には発熱マットを連結可能にした連結マジックテープが具備され、伸縮性のある構成で身体の腹筋を調節する装置として、帯状ベルトの両先端をそれぞれマジックテープで固定する構成の可撓性腹筋調節具。
【０００９】    前記請求項４の腰部中心部の連結マジックテープに前記請求項１、請求項２、請求項３の連結マジックテープ部を接着固定することで腰部周辺の温熱治療、電位治療又は薬草治療をそれぞれ可能にし、更に腹筋調節も可能にした可撓性腰部温熱治療装置。
【００１０】    身体の背面に接触する背当て板状部材の肩部に、伸縮性を有する左右一体の肩掛けベルトが具備され、その両先端は伸縮性を有する胴部背当て板状部材に連結され、該胴部背当て板状部材の身体接触面には、連結マジックテープが具備それると共に、上下方向における高さ位置調整可能な構成として背面部材が具備される、更に前記背当て板状部材の腹部には装着者の胴部にまわし装着可能な胴部ベルトが具備されてなる可撓性背筋矯正具。
【００１１】    前記請求項５の背筋矯正具の連結マジックテープ部に、前記請求項１、請求項２、請求項３の発熱マットの連結マジックテープ部を接続してなる電位効果と薬草効果のある可撓性背部温熱治療装置。
【００１２】    本発熱装置に挿入する薬草サックには、もぐさ、乾燥ビワの葉、等漢方薬草を乾燥させた薬草とし、前記請求項１、請求項２、に記載の発熱マットで薬草サックに放射し、薬草効果をもたらすことを特徴とする可撓性温熱治療装置。
【考案の効果】
【００１３】    本考案の温熱マットからは身体に有効な遠赤外線電磁波熱による治療が出来る。更に薬草サックから薬草エキスを浸透させる治療もできる。本考案の特徴は背筋矯正具又は腹筋調節具による治療が可能であると共に、前記温熱マットを背筋矯正具と腹筋調節具とに取り付け可能な構成にし温熱治療が出来ることである。更に発熱マットにマイナス電圧を負荷する構成にして電位療法も可能にし相乗医療効果のあるマットにした装置は他にない。
【考案を実施するための最良の形態】
【００１４】    本考案の遠赤外線電磁波熱を放射する発熱マットを、一定の寸法に形成して脊髄全面又は腰周辺部の治療を、取り付け簡便に兼用可能にして医療効果を持つ温熱治療装置にしたことである。
【実施例１】
【００１５】    本考案のカバーＢ付発熱マットＡの裏面中央に連結マジックテープａが具備される。この連結マジックテープａが腹筋調節具固定マジックテープｂ又は背筋矯正具固定マジックテープｃにも連結固定されカバーＢ付発熱マットＡとして使用される。更にこのカバーＢ付発熱マットＡの構成でカーボン発熱体１の抵抗を変えて自動車用１５Ｖ・２４Ｖにも適応される。例えば、図１はカバーＢ付発熱マットＡの斜面図である。カバーＢの裏面中央に固定マジックテープａと表面は薬草エキス２が通過する網状２ａが具備される。カバーＢ内にはカーボン発熱体１と薬草サック２が挿入され、挿入口はマジックテープ又はファスナーｄで止められる。カバーＢの一端から電源コードｉとその中間にコントローラーＥ又はタイマーｋが制御器として具備され、電源コードの先端は差し込みブラグｌが取り付けられる。コントローラーには切・発熱・電位の切り替えスイッチｊと発熱時のタイマーｋが内設されて温熱療法と電位療法が可能な構成になっている。尚薬草サック２とカーボン発熱体１による薬草エキスと遠赤外線電磁波熱による温熱療法ではタイマーｋのみの制御とする。【００１６】    本考案の図２は、腹筋調節ベルトＣで身体接触中心部に連結マジックテープｂが具備され前記図１の発熱マットＡのマジックテープａが連結接着される。帯状ベルトの両先端はそれぞれマジックテープｅ・ｆで固定する構成の腹筋調節具Ｃである。【００１７】    本考案の図３は、背筋矯正具Ｄの立面図である。この特徴は、移動式胴部背当て板状部材Ｇが上、下に移動する構成にしてあり、人の身長に関係なく両袖通し口Ｆに両腕を通すことで両肩部が固定し、更に胴部両ベルト先端のマジックテープｇ・ｈを固定することで背筋の矯正が可能となる背筋矯正具Ｄである。この矯正具Ｄの胴部背当て板状Ｇに前記発熱マットＡのマジックテープａが接着固定するように胴部固定マジックテープｃが装着されている。【００１８】    本考案の図４は、前記図３の胴部固定マジックテープｃに前記図１のカバーＢ付発熱マットＡの固定マジックテープａを接着固定した立面図である。両腕を袖通し口Ｆ・Ｆに通し両肩で固定し、更に胴部両ベルトの先端にあるマジックテープｇ・ｈを接着固定することで、発熱マットＡの網状面２ａが身体背面に密着する構成の温熱治療装置Ａとなっている。
【産業上の利用可能性】
【００１９】    本考案の装置は、肩こり、腰痛、疲労回復等の治療には最適である。従って各病院の神経科、針灸マッサージ店、健康機器店に適応することが出来る。
【図面の簡単な説明】
【００２０】
【図１】発熱マットの斜面図である
【図２】腹筋調節装置の立面図である。
【図３】背筋矯正具の立面図である。
【図４】背筋、腰、肩の温熱治療装置である。
【符号の説明】
【００２１】      Ａ…カバー付発熱マット
Ｂ…発熱マットカバー
Ｃ…腹筋調節具
Ｄ…背筋矯正具
Ｅ…コントローラー
Ｆ…両袖通し口
Ｇ…胴部背当て移動式板状部材
ａ…発熱マットのマジックテープ
ｂ…腹筋調節具の固定マジックテープ
ｃ…背筋矯正具の胴部固定マジックテープ
ｄ…発熱マットカバーの挿入口固定マジックテープ
ｅ・ｆ…腹筋調節具ベルト先端マジツクテープ
ｇ・ｈ…背筋矯正具胴部ベルト先端マジツクテープ
ｉ…電源コード
ｊ…電流・電位切替えスイッチ
ｋ…タイマー
ｌ…差し込みプラグ
１…発熱マット
２…薬草サック
２ａ…網状布
【図１】
0003123032.tif 000003
【図２】
0003123032.tif 000004
【図３】
0003123032.tif 000005
【図４】
0003123032.tif 000006
【手続補正書】
【提出日】平成18年2月13日(2006.2.13)
【手続補正１】
【補正対象書類名】実用新案登録請求の範囲
【補正対象項目名】全文
【補正方法】変更
【補正の内容】
【実用新案登録請求の範囲】
【請求項１】
本装置は、身体背面又は腰部周辺に位置する保温装置の発熱マット又はマイナス電位マットの構成として、断熱材とニクロム線・線面発熱体・カーボン面発熱体等をそれぞれ一体にして熱源とし、発熱表面温度をこもり熱も含め３０℃〜６０℃で制御するよう６０℃〜６５℃で作動するサーモスタットと８０℃で電源遮断する温度ヒューズを内装し、発熱体周囲全面を樹脂で絶縁、防水加工した発熱マット又は電位マットとした後、更にマットカバーに薬草サックが内設できる構成で柔軟布の片面を網目構成にし、反面は中間に連結面ファスナーを具備したカバーでマットを覆い、更なる安全装置として電源コードの中間に（−）電位と（±）電流の切り替え装置のコントローラーに２０分・４０分６０分で一端電源を遮断するタイマーを装備した構成にしてなる薬草治療と電位治療も可能な可撓性温熱治療装置。
【請求項２】
前記請求項１の電源電圧を７．５Ｖ・１５Ｖ・２４Ｖ・１００Ｖ・２２０Ｖ用にした抵抗体で装備した発熱マットとし、電圧変換装置で調節してなる可撓性温熱治療装置。
【請求項３】
前記請求項１又は請求項２に記載の温熱治療装置の発熱マットカバーの片面網目側に薬草サックを挿入し治療してなる可撓性薬草治療装置。
【請求項４】
身体の胴体に腹部状で巻く形のベルトにおいて、身体に接触する腰部には発熱マットを連結可能にした連結面ファスナーが具備され、伸縮性のある構成で身体の腹筋を調節する装置として、帯状ベルトの両先端をそれぞれ面ファスナーで固定する構成の可撓性腹筋調節具。
【請求項５】
前記請求項４の腰部中心部の連結面ファスナーに前記請求項１、請求項２、請求項３の連結面ファスナー部を接着固定することで腰部周辺の温熱治療、電位治療又は薬草治療をそれぞれ可能にし、更に腹筋調節も可能にした可撓性腰部温熱治療装置。
【請求項６】
身体の背面に接触する背当て板状部材の肩部に、伸縮性を有する左右一体の肩掛けベルトが具備され、その両先端は伸縮性を有する胴部背当て板状部材に連結され、該胴部背当て板状部材の身体接触面には、連結面ファスナーが具備されると共に、上下方向における高さ位置を調整可能な構成として背面部材が具備され、更に前記背当て板状部材の腹部には装着者の胴部にまわし装着可能な胴部ベルトが具備されてなる可撓性背筋矯正具。
【請求項７】
前記請求項６の背筋矯正具の連結面ファスナー部に、前記請求項１、請求項２、請求項３の発熱マットの連結面ファスナー部を接続してなる電位効果と薬草効果のある可撓性背部温熱治療装置。
【請求項８】
本発熱装置に挿入する薬草サックには、もぐさ、乾燥ビワの葉、等漢方薬草を乾燥させた薬草とし、前記請求項１、請求項２、請求項３に記載の発熱マットで薬草サックに放射し、薬草効果をもたらすことを特徴とする可撓性薬草治療装置。
【手続補正２】
【補正対象書類名】明細書
【補正対象項目名】全文
【補正方法】変更
【補正の内容】
【考案の詳細な説明】
【技術分野】
【０００１】    本考案は、遠赤外線放射体又はカーボン発熱体から、身体に放射する浸透性の高い８μ〜１５μの波長を有する遠赤外線電磁波熱を、直接放射する電位・温熱治療マット又は薬草サックを透し放射してなる薬草治療マットを、特殊背筋矯正具又は特殊腹筋調節具に簡単に取り付け、取り外し可能な構成にしてなる治療装置に関する。
【背景技術】
【０００２】    従来から身体の壷にモグサに火をつけて治療する温熱方法、温泉による温熱方法、又は日光浴による温熱方法はある。又カーボン系の遠赤外線放射装置として床暖房、温熱フトン等による温熱療法も見ることが出来る。
【考案の開示】
【考案が解決しょうとする課題】
【０００３】    従来から農作業による肩、腰の疲労、又はスポーツによる肩、腰の疲労においては人的マッサージ、機械的マッサージによる方法が多い。昔から神経による痛みは熱による治療効果が最も有効である。特に８μ〜１５μの遠赤外線電磁波熱は身体の深部に浸透させる効果を持つため治療装置としては最も有効な治療方法である。
更に背骨、背筋を矯正する装置又は腹筋を調節する装置に取り付け、取り外し可能な温熱マットを、一組の温熱マットを密着させ取り付け使用する装置は従来見ることはない。
【課題を解決するための手段】
【０００４】    農業を主とする職業、又はスポーツ選手、には骨粗鬆症、ぎっくり腰、椎間板ヘルニア等脊髄又は腰痛は多くいます。これらの病気には温熱治療を主に薬草エキスを浸透させる治療が最も有効です。治療効果は治療装置が身体に密着して照射させる構成が重要である。しかも、電位治療も可能な遠赤外線放射マットを腰ベルトにも背中ベルトにも取り付け可能にする構造が有効である。具体的には次のとおりである。
【０００５】    請求項１の装置は、身体の背面又は腰部周辺に位置する保温装置の発熱マット又はマイナス電位マットの構成として、断熱材とニクロム線・線面発熱体・カーボン面発熱体等をそれぞれ一体として熱源とし、発熱表面温度をこもり熱も含め３０℃〜Ａ６０℃で制御するよう６０℃〜６５℃で作動するサーモスタットと８０℃で電源遮断する温度ヒューズを内装し、発熱体周囲全面を柔軟性樹脂で絶縁、防水加工した発熱マット又は電位マットとした後、更にマットカバーに薬草サックが内設できる構成で柔軟布の片面を網目構成にし、反面は中間に連結面ファスナーを具備したカバーでマットを覆い、更なる安全装置として電源コードの中間に（−）電位と（±）電流の切り替え装置のコントローラーに２０分・４０分・６０分で一端電源を遮断するタイマーを装備した構成にしてなる薬草治療と電位治療も可能な可撓性温熱治療装置。
【０００６】    前記請求項１の電源電圧を７．５Ｖ・１５Ｖ・２４Ｖ・１００Ｖ・２２０Ｖ用にした抵抗体で装備した発熱マットとし、電圧変換装置で調節してなる可撓性温熱治療装置。
【０００７】    前記請求項１又は請求項２に記載の可撓性温熱治療装置の発熱マットカバーの片面網目側に薬草サックを挿入してなる可撓性薬草治療装置。
【０００８】    身体の胴体に腹部状で巻く形のベルトにおいて、身体に接触する腰部には発熱マットを連結可能にした連結面ファスナーが具備され、伸縮性のある構成で身体の腹筋を調節する装置として、帯状ベルトの両先端をそれぞれ面ファスナーで固定する構成の可撓性腹筋調節具。
【０００９】    前記請求項４の腰部中心部の連結面ファスナーに前記請求項１、請求項２、請求項３の連結面ファスナー部を接着固定することで腰部周辺の温熱治療、電位治療又は薬草治療をそれぞれ可能にし、更に腹筋調節も可能にした可撓性腰部温熱治療装置。
【００１０】    身体の背面に接触する背当て板状部材の肩部に、伸縮性を有する左右一体の肩掛けベルトが具備され、その両先端は伸縮性を有する胴部背当て板状部材に連結され、該胴部背当て板状部材の身体接触面には、連結面ファスナーが具備それると共に、上下方向における高さ位置調整可能な構成として背面部材が具備される、更に前記背当て板状部材の腹部には装着者の胴部にまわし装着可能な胴部ベルトが具備されてなる可撓性背筋矯正具。
【００１１】    前記請求項５の背筋矯正具の連結面ファスナー部に、前記請求項１、請求項２、請求項３の発熱マットの連結面ファスナー部を接続してなる電位効果と薬草効果のある可撓性背部温熱治療装置。
【００１２】    本発熱装置に挿入する薬草サックには、もぐさ、乾燥ビワの葉、等漢方薬草を乾燥させた薬草とし、前記請求項１、請求項２、に記載の発熱マットで薬草サックに放射し、薬草効果をもたらすことを特徴とする可撓性温熱治療装置。
【考案の効果】
【００１３】    本考案の温熱マットからは身体に有効な遠赤外線電磁波熱による治療が出来る。更に薬草サックから薬草エキスを浸透させる治療もできる。本考案の特徴は背筋矯正具又は腹筋調節具による治療が可能であると共に、前記温熱マットを背筋矯正具と腹筋調節具とに取り付け可能な構成にし温熱治療が出来ることである。更に発熱マットにマイナス電圧を負荷する構成にして電位療法も可能にし相乗医療効果のあるマットにした装置は他にない。
【考案を実施するための最良の形態】
【００１４】    本考案の遠赤外線電磁波熱を放射する発熱マットを、一定の寸法に形成して脊髄全面又は腰周辺部の治療を、取り付け簡便に兼用可能にして医療効果を持つ温熱治療装置にしたことである。
【実施例１】
【００１５】    本考案のカバーＢ付発熱マットＡの裏面中央に連結面ファスナーａが具備される。この連結面ファスナーａが腹筋調節具固定面ファスナーｂ又は背筋矯正具固定面ファスナーｃにも連結固定されカバーＢ付発熱マットＡとして使用される。更にこのカバーＢ付発熱マットＡの構成でカーボン発熱体１の抵抗を変えて自動車用１５Ｖ・２４Ｖにも適応される。例えば、図１はカバーＢ付発熱マットＡの斜面図である。カバーＢの裏面中央に固定面ファスナーａと表面は薬草エキス２が通過する網状２ａが具備される。カバーＢ内にはカーボン発熱体１と薬草サック２が挿入され、挿入口は面ファスナー又はファスナーｄで止められる。カバーＢの一端から電源コードｉとその中間にコントローラーＥ又はタイマーｋが制御器として具備され、電源コードの先端は差し込みブラグｌが取り付けられる。コントローラーには切・発熱・電位の切り替えスイッチｊと発熱時のタイマーｋが内設されて温熱療法と電位療法が可能な構成になっている。尚薬草サック２とカーボン発熱体１による薬草エキスと遠赤外線電磁波熱による温熱療法ではタイマーｋのみの制御とする。【００１６】    本考案の図２は、腹筋調節ベルトＣで身体接触中心部に連結面ファスナーｂが具備され前記図１の発熱マットＡの面ファスナーａが連結接着される。帯状ベルトの両先端はそれぞれ面ファスナーｅ・ｆで固定する構成の腹筋調節具Ｃである。【００１７】    本考案の図３は、背筋矯正具Ｄの立面図である。この特徴は、移動式胴部背当て板状部材Ｇが上、下に移動する構成にしてあり、人の身長に関係なく両袖通し口Ｆに両腕を通すことで両肩部が固定し、更に胴部両ベルト先端の面ファスナーｇ・ｈを固定することで背筋の矯正が可能となる背筋矯正具Ｄである。この矯正具Ｄの胴部背当て板状Ｇに前記発熱マットＡの面ファスナーａが接着固定するように胴部固定面ファスナーｃが装着されている。【００１８】    本考案の図４は、前記図３の胴部固定面ファスナーｃに前記図１のカバーＢ付発熱マットＡの固定面ファスナーａを接着固定した立面図である。両腕を袖通し口Ｆ・Ｆに通し両肩で固定し、更に胴部両ベルトの先端にある面ファスナーｇ・ｈを接着固定することで、発熱マットＡの網状面２ａが身体背面に密着する構成の温熱治療装置Ａとなっている。
【産業上の利用可能性】
【００１９】    本考案の装置は、肩こり、腰痛、疲労回復等の治療には最適である。従って各病院の神経科、針灸マッサージ店、健康機器店に適応することが出来る。
【図面の簡単な説明】
【００２０】
【図１】発熱マットの斜面図である
【図２】腹筋調節装置の立面図である。
【図３】背筋矯正具の立面図である。
【図４】背筋、腰、肩の温熱治療装置である。
【符号の説明】
【００２１】    Ａ…カバー付発熱マット
Ｂ…発熱マットカバー
Ｃ…腹筋調節具
Ｄ…背筋矯正具
Ｅ…コントローラー
Ｆ…両袖通し口
Ｇ…胴部背当て移動式板状部材
ａ…発熱マットの面ファスナー
ｂ…腹筋調節具の固定面ファスナー
ｃ…背筋矯正具の胴部固定面ファスナー
ｄ…発熱マットカバーの挿入口固定面ファスナー
ｅ・ｆ…腹筋調節具ベルト先端面ファスナー
ｇ・ｈ…背筋矯正具胴部ベルト先端面ファスナー
ｉ…電源コード
ｊ…電流・電位切替えスイッチ
ｋ…タイマー
ｌ…差し込みプラグ
１…発熱マット
２…薬草サック
２ａ…網状布
【手続補正書】
【提出日】平成18年3月27日(2006.3.27)
【手続補正１】
【補正対象書類名】実用新案登録請求の範囲
【補正対象項目名】全文
【補正方法】変更
【補正の内容】
【実用新案登録請求の範囲】
【請求項１】
本装置は、身体背面又は腰部周辺に位置する保温装置の発熱マット又はマイナス電位マットの構成として、断熱材とニクロム線・線面発熱体・カーボン面発熱体等をそれぞれ一体にして熱源とし、発熱表面温度をこもり熱も含め３０℃〜６０℃で制御するよう６０℃〜６５℃で作動するサーモスタットと８０℃で電源遮断する温度ヒューズを内設し、発熱体周囲全面を樹脂で絶縁、防水加工した発熱マット又は電位マットとした後、更にマットカバーに薬草サックが内設できる構成で柔軟布の片面を網目構成にし、反面は中間に連結面ファスナーを具備したカバーで発熱マットを覆い、更なる安全装置として電源コードの中間に（−）電位と（±）電流の切り替え装置を内設したコントローラーに２０分・４０分６０分で一端電源を遮断するタイマーを内設した構成にしてなる薬草治療と電位治療も可能な可撓性温熱治療装置。
【請求項２】
前記請求項１に記載の治療装置において、電源電圧を７．２Ｖ・１２Ｖ・２４Ｖ・１００Ｖ・２２０Ｖ用にそれぞれ異なった抵抗体で構成した発熱マットとし、車用はシガレットケースの差込み電源を適応し、１００Ｖ、２００Ｖ電圧では、それぞれ変圧器で電圧調整し、通電してなる可撓性温熱治療装置。
【請求項３】
前記請求項１乃至２のいずれかに記載の治療装置において、発熱マットカバーの片面網目側に薬草サックを挿入し薬草治療してなる可撓性温熱治療装置。
【請求項４】
前記請求項１乃至２のいずれかに記載の治療装置において、身体の胴体腰部に巻く形のベルト状腰部に接触する発熱マットを連結可能にした袋又は連結面ファスナーが具備され、帯状ベルトの両先端をそれぞれ面ファスナーで固定する構成とし、身体腰部に密着させるベルト構造を特徴とする可撓性温熱治療装置。
【請求項５】
前記請求項１乃至２のいずれかに記載の治療装置において、身体背面固定具として、身体の背面に接触する背当て板状部材の肩部に、伸縮性を有する左右一体の肩掛けベルトが具備され、その両先端は伸縮性を有する胴部背当て板状部材に連結され、該胴部背当て板状部材の身体接触面には、連結面ファスナーが具備されると共に、上下方向における高さ位置を調整可能な構成として背面部材が具備され、更に前記背当て板状部材の腹部には装着者の胴部にまわし装着可能な胴部ベルトが具備された背面固定具の連結面ファスナーに前記請求項１の連結面ファスナーを接着具備した発熱マットを脊髄背面に密着固定し治療してなる可撓性温熱治療装置。
【手続補正２】
【補正対象書類名】明細書
【補正対象項目名】全文
【補正方法】変更
【補正の内容】
【考案の詳細な説明】
【技術分野】
【０００１】    本考案は、遠赤外線放射体又はカーボン発熱体から、身体に放射する浸透性の高い８μ〜１５μの波長を有する遠赤外線電磁波熱を、直接放射する電位・温熱治療マット又は薬草サックを透し放射してなる薬草治療マットを、特殊背筋矯正具又は特殊腹筋調節具に簡単に取り付け、取り外し可能な構成にしてなる治療装置に関する。
【背景技術】
【０００２】    従来から身体の壷にモグサに火をつけて治療する温熱方法、温泉による温熱方法、又は日光浴による温熱方法はある。又カーボン系の遠赤外線放射装置として床暖房、温熱フトン等による温熱療法も見ることが出来る。
【考案の開示】
【考案が解決しょうとする課題】
【０００３】    従来から農作業による肩、腰の疲労、又はスポーツによる肩、腰の疲労回復においては人的マッサージ、機械的マッサージによる方法が多い。昔から神経による痛みは熱による治療効果が最も有効である。特に８μ〜１５μの遠赤外線電磁波熱は身体の深部に浸透させる効果を持つため治療装置としては最も有効な治療方法である。更に背骨、背筋を矯正する装置又は腹筋を調節する装置に取り付け、取り外し可能な温熱マットを、交互に一組の温熱マットで取り付け使用する装置は従来見ることはない。
【課題を解決するための手段】
【０００４】    農業を主とする職業、又はスポーツ選手、には骨粗鬆症、ぎっくり腰、椎間板ヘルニア等は脊髄又は腰に多くみます。これらの病気には温熱治療を主に薬草エキスを浸透させる治療が最も有効です。治療効果は治療装置が身体に密着して照射させる構成が重要である。しかも、電位治療も可能な遠赤外線放射マットを腰ベルトにも背中ベルトにも取り付け可能にする構造が有効である。具体的には次のとおりである。
【０００５】    請求項１の装置は、身体の背面又は腰部周辺に位置する保温装置の発熱マット又はマイナス電位マットの構成として、断熱材とニクロム線・線面発熱体・カーボン面発熱体等をそれぞれ一体として熱源とし、発熱表面温度をこもり熱も含め３０℃〜Ａ６０℃で制御するよう６０℃〜６５℃で作動するサーモスタットと８０℃で電源遮断する温度ヒューズを内設し、発熱体周囲全面を柔軟性樹脂で絶縁、防水加工した発熱マット又は電位マットとした後、更にマットカバーに薬草サックが内設できる構成で柔軟布の片面を網目構成にし、反面は中間に連結面ファスナーを具備したカバーで発熱マットを覆い、更なる安全装置として電源コードの中間に（−）電位と（±）電流の切り替え装置のコントローラーに２０分・４０分・６０分で一端電源を遮断するタイマーを装備した構成にしてなる薬草治療と電位治療も可能な可撓性温熱治療装置。
【０００６】  前記請求項１に記載の治療装置において、電源電圧を７．２Ｖ・１２Ｖ・２４Ｖ・１００Ｖ・２２０Ｖ用にそれぞれ異なった抵抗体で構成した発熱マットとし、車用はシガレットケースの差込み電源を適応し、１００Ｖ，２２０Ｖ電圧ではそれぞれ変圧器で電圧調整してなる可撓性温熱治療装置。
【０００７】  前記請求項１乃至２のいずれかに記載の治療装置において、発熱マットカバーの片面網目側に薬草サックを挿入し薬草治療してなる可撓性温熱治療装置。
【０００８】  前記請求項１乃至２のいずれかに記載の治療装置において、身体の胴体腰部に巻く形のベルト状腰部に接触する発熱マットを連結可能にした袋又は連結面ファスナーが具備され、帯状ベルトの両先端にもそれぞれ面ファスナーで固定する構成とし、身体腰部に密着させるベルト構造を特徴とする可撓性温熱治療装置。
【０００９】  前記請求項１乃至２のいずれかに記載の治療装置において、身体背面固定具として、身体の背面に接触する背当て板状部材の肩部に、伸縮性を有する左右一体の肩掛けベルトが具備され、その両先端は伸縮性を有する胴部背当て板状部材に連結され、該胴部背当て板状部材の身体接触面には、連結面ファスナーが具備それると共に、上下方向における高さ位置を調整可能な構成として背面部材が具備され、更に前記背当て板状部材の腹部には装着者の胴部にまわし装着可能な胴部ベルトが具備された背面固定具の面ファスナーに前記請求項１の連結面ファスナーを接着具備した発熱マットを脊髄背面に密着固定し治療してなる可撓性温熱治療装置。
【考案の効果】
【００１０】  本考案の温熱マットからは身体に有効な遠赤外線電磁波熱による治療が出来る。更に薬草サックから薬草エキスを浸透させる治療もできる。本考案の特徴は背筋矯正具又は腹筋調節具による治療が可能であると共に、前記温熱マットを背筋矯正具と腹筋調節具とに取り付け可能な構成にし温熱治療が出来ることである。更に発熱マットにマイナス電圧を負荷する構成にして電位療法も可能にし相乗医療効果のあるマットにした装置は他にない。
【考案を実施するための最良の形態】
【００１１】  本考案の遠赤外線電磁波熱を放射する発熱マットを、一定の寸法に形成して脊髄全面又は腰周辺部の治療を、取り付け簡便に兼用可能にして医療効果を持つ温熱治療装置にしたことである。
【実施例１】
【００１２】  本考案の発熱マット１用カバーの表面Ａ、裏面Ｂの中央に連結面ファスナーａが具備される。この連結面ファスナーａが腹筋調節具固定面ファスナーｂ又は背筋矯正具固定面ファスナーｃにも連結固定されカバーＢ付発熱マット１として使用される。更にこのカバーＢ付発熱マット１の構成でカーボン発熱体の抵抗を変えて自動車用１２Ｖ・２４Ｖにも適応される。例えば、図１は発熱マットカバーの表面Ａと裏面Ｂの側面図である。カバーＢの中央に固定面ファスナーａとカバー表面Ａは薬草エキスが通過する網状２ａが具備される。カバーＢ内にはカーボン発熱体１と薬草サックが挿入され、挿入口は面ファスナー又はファスナーｄで止められる。カバーＢの一端から電源コードｉとその中間にコントローラーＥ又はタイマーｋが制御器として具備され、電源コードの先端は差し込みブラグ１が取り付けられる。コントローラーには切・発熱・電位の切り替えスイッチｊと発熱時のタイマーｋが内設されて温熱療法と電位療法が可能な構成になっている。尚薬草サックとカーボン発熱体１による薬草エキスと遠赤外線電磁波熱による温熱治療時間は、タイマーｋの制御とし、繰り返し作動させ治療する。【００１３】  本考案の図２は、腹筋調節ベルトＣで身体接触中心部に袋又は連結面ファスナーｂが具備され前記図１の発熱マットＡの面ファスナーａが連結接着される。帯状ベルトの両先端はそれぞれ面ファスナーｅ・ｆで固定する構成の腹筋調節ベルトＣである。【００１４】  本考案の図３は、背筋矯正具Ｄの立面図である。この特徴は、移動式胴部背当て板状部材Ｇが上、下に移動する構成にしてあり、人の身長に関係なく両袖通し口Ｆに両腕を通すことで両肩部が固定し、更に胴部両ベルト先端の面ファスナーｇ・ｈを固定することで背筋の矯正が可能となる背筋矯正具Ｄである。この矯正具Ｄの胴部背当て板状Ｇに前記発熱マットＡの面ファスナーａが接着固定するように胴部固定面ファスナーｃが装着されている。【００１５】  本考案の図４は、前記図３の胴部固定面ファスナーｃに前記図１のカバーＢ付発熱マットＡの固定面ファスナーａを接着固定した立面図である。両腕を袖通し口Ｆ・Ｆに通し両肩で固定し、更に胴部両ベルトの先端にある面ファスナーｇ・ｈを接着固定することで、発熱マットＡの網状面２ａが身体背面に密着する構成の温熱治療装置Ａとなっている。
【産業上の利用可能性】
【００１６】  本考案の装置は、肩こり、腰痛、疲労回復等の治療には最適である。従って各病院の神経科、針灸マッサージ店、健康機器店に適応することが出来る。
【図面の簡単な説明】
【００１７】
【図１】発熱マットカバーの正面図と裏面図である
【図２】腹筋調節装置の立面図である。
【図３】背筋矯正具の立面図である。
【図４】背筋矯正具に発熱マットを取り付けた立面図である。
【符号の説明】
【００１８】Ａ…発熱マットカバーの正面図Ｂ…発熱マットカバーの裏面図Ｃ…腹筋調節具Ｄ…背筋矯正具Ｅ…コントローラーＦ…両袖通し口Ｇ…胴部背当て移動式板状部材ａ…発熱マットの面ファスナーｂ…腹筋調節具の固定面ファスナーｃ…背筋矯正具の胴部固定面ファスナーｄ…発熱マットカバーの挿入口固定面ファスナーｅ・ｆ…腹筋調節具ベルト先端面ファスナーｇ・ｈ…背筋矯正具胴部ベルト先端面ファスナーｉ…電源コードｊ…電流・電位切替えスイッチｋ…タイマーｌ…差し込みプラグ１…発熱マット２ａ…網状布
【手続補正３】
【補正対象書類名】図面
【補正対象項目名】全図
【補正方法】変更
【補正の内容】
【図１】
0003123032.tif 000007
【図２】
0003123032.tif 000008
【図３】
0003123032.tif 000009
【図４】
0003123032.tif 000010